(57)【要約】【課題】本発明は、簡単な構造で光量調整を確実に行うことができる光量調整体を提供することを目的とするものである。【解決手段】光量調整体１は、一対の地組織２及び３の間に複数の遮光層４が設けられた編地部分と、地組織２及び３の外表面に接着固定された一対の光透過可能な支持体５及び６と、支持体５を移動させる操作部材７とを備えている。編地部分の構成糸は、熱セット加工、樹脂加工等の形態安定加工により地組織２及び３の間が所定間隔空けて保持されるように加工されている。地組織２及び３の経方向の鎖編からなる編目列２０及び３０の間に交互に編み込まれた連結糸により遮光層４が形成されている。操作部材７により支持体５を緯方向に移動させることで、遮光層４の傾斜角度を変化させて光量を調整する。【選択図】図１
2010168894.tif 000002
【特許請求の範囲】
【請求項１】
シート状に織成又は編成された一対の地組織と、前記地組織の間に連結糸を所定の編成方向に編み込んで面状に形成されるとともに当該編成方向と直交する方向に所定間隔空けて複数配列された遮光層と、前記地組織の外表面を覆うように配置されて接着固定された光透過可能な一対の支持体と、前記支持体の少なくとも一方を前記編成方向と直交する方向に移動させて前記遮光層の前記支持体に対する傾斜角度を変化させる移動手段とを備えていることを特徴とする光量調整体。
【請求項２】
前記地組織は、経方向に鎖編により編成される複数の編目列を緯方向に所定間隔空けて配列するとともに隣接する編目列に交互に所定長さずつ挿入糸を編み込んで形成されており、前記遮光層は、前記地組織の編目列の間に交互に連結糸を編み込んで形成されており、前記支持体は、前記地組織の鎖編部分に接着固定されていることを特徴とする請求項１に記載の光量調整体。
【請求項３】
前記地組織は、一対の前記挿入糸が隣接する編目列の間で互いに交差するように緯方向に振りながら掛け渡して編成されており、経方向の前記編目列及び緯方向の前記挿入糸により格子状に形成されていることを特徴とする請求項２に記載の光量調整体。
【請求項４】
前記遮光層は、構成糸が形態安定加工されて前記地組織を所定間隔空けて保持可能となっていることを特徴とする請求項１から３のいずれかに記載の光量調整体。
【請求項５】
前記支持体は、少なくとも一方が光透過可能な板状体であることを特徴とする請求項１から４のいずれかに記載の光量調整体。
【請求項６】
前記移動手段は、前記支持体を移動させた状態で保持することを特徴とする請求項１から５のいずれかに記載の光量調整体。
【発明の詳細な説明】
【技術分野】
【０００１】
本発明は、室内や自動車等の車内に設置されて太陽光等の入射光を調整する光量調整体に関する。
【背景技術】
【０００２】
従来より、室内や車内に入射する外光を遮光するためにブラインドやシェードが設置されているが、遮光部材の材料としては、金属板、樹脂板、布帛といった様々な材料が用途に応じて使用されている。その中で織物や編物からなる布帛は、インテリアデザインとしても活用できることから、様々な種類のものが提案されている。例えば、特許文献１では、表地２、裏地３及び遮光層４からなり、全体の構成糸を樹脂加工により固着させて表地２と裏地３との間が所定間隔空けて保持されるように成形された光透過性シート材が記載されている。また、特許文献２では、表編地及び裏編地を連結糸で連結し、表編地と裏編地との間に連結糸の立毛部分による立毛層を形成した二重カーテン地が記載されている。また、特許文献３では、一対の地組織を所定間隔で保持可能な長さを有する複数の糸列部を設け、糸列部は地組織に織り込まれた糸が多数配列して面状に形成されている点が記載されている。また、特許文献４では、鎖編糸と挿入糸とによってフロントとバックとの編組織が所定間隔を存置した離間状態で編成し、フロントとバックとの間に別の糸を斜め方向に掛け渡した編成部分を形成したブラインド用編生地が記載されている。
【先行技術文献】
【特許文献】
【０００３】
【特許文献１】特許第４０７４８８４号公報
【特許文献２】特開２００１−１７２８４１号公報
【特許文献３】特開２００２−５４０５０号公報
【特許文献４】実公平７−２６３３号公報
【発明の概要】
【発明が解決しようとする課題】
【０００４】
特許文献１では、光透過性シート材を回動させることで透過する光量を調整することができるが、設置スペースが狭い場合に回動操作が難しくなる。特許文献２及び３では、遮光部分を可動するように構成して外光を入れたい時には可動部分を開く方向に回動させているが、布製のため幅が広くなると中央部分が弛んだり、繰返し回動させると可動部分が劣化するといった耐久性の面で問題がある。特許文献４では、フロント側の編組織の鎖編列に対して緯方向に振られた挿入糸を編み込んでいるが、バック側の編組織にはこうした挿入糸を編み込んでおらず、編地全体の強度が弱く変形しやすいため、透過する光量にバラツキが生じるようになる。
【０００５】
そこで、本発明は、簡単な構造で光量調整を確実に行うことができる光量調整体を提供することを目的とするものである。
【課題を解決するための手段】
【０００６】
本発明に係る光量調整体は、シート状に織成又は編成された一対の地組織と、前記地組織の間に連結糸を所定の編成方向に編み込んで面状に形成されるとともに当該編成方向と直交する方向に所定間隔空けて複数配列された遮光層と、前記地組織の外表面を覆うように配置されて接着固定された光透過可能な一対の支持体と、前記支持体の少なくとも一方を前記編成方向と直交する方向に移動させて前記遮光層の前記支持体に対する傾斜角度を変化させる移動手段とを備えていることを特徴とする。さらに、前記地組織は、経方向に鎖編により編成される複数の編目列を緯方向に所定間隔空けて配列するとともに隣接する編目列に交互に所定長さずつ挿入糸を編み込んで形成されており、前記遮光層は、前記地組織の編目列の間に交互に連結糸を編み込んで形成されており、前記支持体は、前記地組織の鎖編部分に接着固定されていることを特徴とする。さらに、前記地組織は、一対の前記挿入糸が隣接する編目列の間で互いに交差するように緯方向に振りながら掛け渡して編成されており、経方向の前記編目列及び緯方向の前記挿入糸により格子状に形成されていることを特徴とする。さらに、前記遮光層は、構成糸が形態安定加工されて前記地組織を所定間隔空けて保持可能となっていることを特徴とする。さらに、前記支持体は、少なくとも一方が光透過可能な板状体であることを特徴とする。さらに、前記移動手段は、前記支持体を移動させた状態で保持することを特徴とする。
【発明の効果】
【０００７】
上記のような構成を有することで、一対の地組織の間に所定の編成方向に編み込まれて面状に形成され当該編成方向と直交する方向に複数配列された遮光層を設け、一対の地組織の外表面を覆うように支持体を接着固定し、支持体を編成方向と直交する方向に移動させることで、すべての遮光層の傾斜角度を均一に変化させることができる。すべての遮光層の傾斜角度を均一に変化させることで、支持体を透過する光量が均一に変化するようになり、支持体の移動状態に応じて透過する光量を支持体全体で均一に調整することができる。
【０００８】
また、地組織を、経方向に鎖編により編成される複数の編目列を緯方向に所定間隔空けて配列するとともに隣接する編目列に交互に所定長さずつ挿入糸を編み込んで形成し、遮光層を、地組織の編目列の間に交互に連結糸を編み込んで形成し、支持体を、地組織の鎖編部分に接着固定することで、緯方向に所定間隔空けて配列された地組織の編目列の間には細い挿入糸以外に入射する光を遮るものはなく、その間の空隙から十分な光量を透過させることができる。そして、遮光層は、一対の地組織の編目列の間に交互に連結糸を編み込んで経方向に面状に形成されているので、遮光層の面方向に沿って編目列の間から透過する光を遮ることがなく、遮光層の面方向において十分な光量が透過するようになる。
【０００９】
また、遮光層を有する地組織の外表面に支持体を設けた簡単な構造であることから、コンパクト化及び軽量化することが容易であり、支持体を移動することができるスペースがあれば設置できる。そのため、窓際に設置してもスペースをとることがなく、パネル化してガラス窓やパーティションとして用いることもでき、自動車の車内等の狭い場所でも設置することが可能となる。
【００１０】
地組織及び遮光層を織物又は編物で構成しているので、支持体として可撓性のあるシート体を用いれば、全体を湾曲させることができ、設置場所のスペースに合せて変形させて取り付けることが可能となる。
【図面の簡単な説明】
【００１１】
【図１】本発明に係る実施形態に関する斜視図である。
【図２】図１に示す実施形態の地組織に関する模式図である。
【図３】光量調整体の動作に関する正面図及び側面図である。
【図４】光量調整体の動作に関する正面図及び側面図である。
【図５】光量調整体の動作に関する正面図及び側面図である。
【図６】窓枠に光量調整体を取り付けた場合に関する斜視図及び断面図である。
【図７】別の移動手段を用いた変形例に関する正面図である。
【図８】図７に示す変形例の動作に関する正面図である。
【図９】図７に示す変形例の動作に関する側面図である。
【図１０】別の移動手段を用いた別の変形例に関する斜視図である。
【図１１】図１０に示す変形例に関する正面図である。
【図１２】図１０に示す変形例の動作に関する側面図である。
【図１３】図１に示す実施形態に関する編組織図である。
【図１４】ダブルラッシェル編機の概略構成図である。
【図１５】編地の形態安定加工及び支持体の接着固定加工に関する説明図である。
【図１６】本発明に係る別の実施形態に関する斜視図である。
【図１７】図１６に示す実施形態に関する正面図及び断面図である。
【図１８】図１６に示す実施形態の動作に関する断面図である。
【発明を実施するための形態】
【００１２】
以下、本発明に係る実施形態について詳しく説明する。なお、以下に説明する実施形態は、本発明を実施するにあたって好ましい具体例であるから、技術的に種々の限定がなされているが、本発明は、以下の説明において特に本発明を限定する旨明記されていない限り、これらの形態に限定されるものではない。
【００１３】
図１及び図２は、本発明に係る実施形態に関する斜視図及び正面図である。光量調整体１は、一対の地組織２及び３の間に複数の遮光層４が形成された編地部分と、地組織２及び３の外表面に接着固定された一対の光透過可能な支持体５及び６と、支持体５を移動させる移動手段である一対の操作部材７とを備えている。編地部分の構成糸は、熱セット加工、樹脂加工等の形態安定加工により地組織２及び３の間が所定間隔空けて保持されるように加工されている。
【００１４】
地組織２は、経方向に鎖編により編成された編目列２０が緯方向に所定間隔空けて配列されて隣接する編目列２０に交互に所定長さずつ挿入糸２１を編み込んで平面状に形成されている。したがって、地組織２は、経方向に直線状に延びる編目列２０と、隣接する編目列２０の間に緯方向に振られて掛け渡すように配列された挿入糸２１とにより格子状に形成されている。
【００１５】
同様に、地組織３は、経方向に鎖編により編成された編目列３０が緯方向に所定間隔空けて配列されて隣接する編目列３０に交互に所定長さずつ挿入糸３１を編み込んで平面状に形成されている。したがって、地組織３は、経方向に直線状に延びる編目列３０と、隣接する編目列３０の間に緯方向に振られて掛け渡すように配列された挿入糸３１とにより格子状に形成されている。
【００１６】
図２は、地組織２の編組織を示す模式図である。隣接する編目列２０の間には、一対の挿入糸２１ａ及び２１ｂが緯方向に振られながら所定の長さずつ交互に編目列２０に編み込まれており、経方向の編目列２０及び緯方向の挿入糸２１により格子状に編成されている。一対の挿入糸２１ａ及び２１ｂは、緯方向に互いに逆方向に振られて編目列２０の間で互いに交差するようにされているため、経方向の編目列２０には挿入糸２１ａ及び２１ｂが二重に編み込まれるとともに緯方向に挿入糸２１が交差するように二重に掛け渡されるので、編地全体の強度を向上させて保形性を高め、地組織２の光透過性が確保されるようになっている。地組織３についても地組織２と同様の編組織で構成され、光透過性が確保されている。
【００１７】
遮光層４は、地組織２の編目列２０と地組織３の編目列３０との間に交互に連結糸を編み込んで経方向に面状に形成されており、複数の遮光層４が緯方向に互いに平行となるように配列されている。遮光層４を形成する連結糸は密に配列されて遮光性を持たせており、連結糸に捲縮糸等の嵩高性の糸を使用することで遮光性をより向上させることができる。
【００１８】
地組織及び遮光層は、熱セット加工、樹脂加工等の形態安定加工を施すことで、地組織２及び３が格子状の編組織として形状保持され、遮光層４が面状体として一体的に動作するようになっている。後述するように、遮光層４は、面状体として地組織２及び３に対する傾斜角度を変化するように動作して編地部分を透過する光量を調整することができる。
【００１９】
地組織及び遮光層は、上述した編地以外に織地でも構成することができる。例えば、一対の地組織を平織で織成し、地組織の間に交互に連結糸を編み込んで遮光層を形成すればよい。この場合、地組織が上述した編地のように格子状に形成されていないので、光の透過性は低下するが、光透過性の高い糸を用いて地組織を織成すれば、遮光層による光量調整を行うことができる。
【００２０】
支持体５及び６は、所定の厚さの板状体で、光透過可能な材料を用いて成形されている。光透過可能な材料としては、透明又は半透明のガラス材料、透明又は半透明の樹脂材料が挙げられ、地組織の編目列に接着固定可能なものがよい。支持体５は、地組織２の編目列２０が接着固定されており、支持体５が地組織２と一体化されている。支持体６についても、地組織３の編目列３０が接着固定されており、支持体６が地組織３と一体化されている。
【００２１】
支持体５及び６は、平板状や湾曲形状のものを用いることができ、支持体同士が所定の間隙を保った状態で移動可能であれば、これらの形状以外に形成してもよい。
【００２２】
固定側の支持体６には、地組織の緯方向に延設して取付部６０が設けられており、移動側の支持体５には、支持体６の取付部６０と同じ側の端面に沿って補強部材５０が固定されている。
【００２３】
一対の操作部材７は、所定間隔を置いて取付部６０に軸支ピン７０により回動可能に取り付けられている。操作部材７の根元部分は軸支ピン７０により支持され、先端部分は外方に向かって折り曲げられて当接部７１が形成されている。操作部材７の回動中心から当接部７１の当接面７１ａまでの長さは、当接面７１ａが補強部材５０に当接して押圧し支持体５を地組織の緯方向に移動させるのに必要な長さに設定されている。操作部材７には、所定の回動角度で保持できるようにストッパ（図示せず）が設けられている。ストッパとしては、例えば、取付部６０に穿設された複数の位置決め孔に挿脱可能なストッパピンを操作部材７に取り付けておき、所望の回動角度まで操作部材７を回動させてストッパピンを位置決め孔に挿入して操作部材７を保持するようにすればよい。
【００２４】
図３から図５は、光量調整体１の動作に関する正面図（各図（ａ））及び側面図（各図（ｂ））である。図３では、操作部材７が補強部材５０に沿うように横向きに回動して支持体５が下方に移動した状態を示しており、遮光層４が支持体６から支持体５に向かって斜め下方に傾斜した状態に設定されている。このように遮光層４が傾斜した状態を正面から見ると、遮光層４が表出して入射する光が遮られるようになる（図３（ａ）参照）。
【００２５】
図４では、操作部材７を反時計回りに所定角度回動して支持体５が上方に移動した状態を示しており、遮光層４が地組織に対してほぼ直交する方向に設定されている。このように遮光層４が支持体５及び６に対してほぼ直交する方向に設定されている状態を正面から見ると、入射する光は遮光層４に遮られることなく透過するようになる（図４（ａ）参照）。
【００２６】
図５では、操作部材７が補強部材５０に対してほぼ直交する状態に回動して支持体５が図４に示す状態よりもさらに上方に移動した状態を示しており、遮光層４が支持体６から支持体５に向かって斜め上方に傾斜した状態に設定されている。このように遮光層４が傾斜した状態を正面から見ると、遮光層４が表出して入射する光が遮られるようになる（図５（ａ）参照）。図３（ａ）の遮光層４の傾斜状態と比較すると、図３（ａ）の状態では上方から入射する光が遮光層４で反射されて正面に向かって照射される分遮光効果が図５（ａ）の状態よりも小さくなる。このように、遮光層４の傾斜角度を変化させることで透過する光量をきめ細かく調整することができる。
【００２７】
以上説明したように、操作部材７を回動させて支持体５を押し上げる移動量を調整することができる。そのため、支持体５の移動量を調整して遮光層４の傾斜角度を調整すれば、編地部分を透過する光量を調整することが可能となる。そして、支持体５の移動に合わせて遮光層４の傾斜角度を一斉に変化させることができ、編地部分全体で透過する光を均一に調整することが可能となる。
【００２８】
操作部材７は、手で把持して回動させることができ、移動手段を簡単な構成とすることができる。上述した例では、操作部材７を折り曲げて当接部を形成しているが、楕円形状のカム部材を回動可能に取り付けて操作部材として用いてもよい。また、補強部材５０に沿ってスライドする部材に傾斜面を形成しておき、部材をスライドさせながら傾斜面を補強部材５０に当接させて押し上げるようにすることもできる。
【００２９】
移動手段としては、上述したような支持体を押圧動作により移動させる手段のほかに支持体に取っ手や紐を取り付けて引張動作により移動させる手段を用いてもよい。また、手動により移動させる手段以外にもモータ、アクチュエータ等の駆動手段を用いて移動させる手段を用いることもできる。
【００３０】
また、この例では、支持体６を固定しておき支持体５のみを移動させる機構であるが、支持体５を固定して支持体６のみを移動させるようにしてもよく、両支持体を互いに反対方向に移動させるようにしてもよい。
【００３１】
図６は、窓ガラス板８を保持する窓枠９に光量調整体を取り付けた場合に関する斜視図（図６（ａ））及びＡ−Ａ断面図（図６（ｂ））である。この例では、窓ガラス板８に直接編地部分を接着固定し、編地部分の窓ガラス板８とは反対側に面に光透過性を有する板状の支持体５が接着固定されている。そして、窓枠９の下部に操作部材７が回動可能に取り付けられており、操作部材７を回動させることで支持体５を上下動させて光量調整を行うことができる。
【００３２】
窓の前面に従来のカーテンやブラインドを設置するスペースがない場合でも、この例のように窓に直接取り付けることができれば、窓から入射する光の光量調整を行うことが可能となる。
【００３３】
図７は、上述した例とは別の移動手段を用いた変形例に関する正面図である。この例では、支持体５を上方に引き上げるようにして移動させている。支持体５の上端部には、ワイヤ７２を取り付ける一対の取付片５１及び５２が固定されている。支持体６の内表面には、上側縁及び左側縁に沿ってＬ字型の取付板６１が固定されている。取付板６１には、取付片５１及び５２に対向配置されたプーリ６２及び６３が回動可能に軸支されている。また、取付板６１の角部にはプーリ６４が回動可能に軸支されており、取付片５１及び５２に一端を固定された２つのワイヤ７２はそれぞれプーリ６２及び６３に掛けて水平方向に案内されてプーリ６４に掛けられて下方向に案内されるようになっている。
【００３４】
そして、ワイヤ７２の他端は、取付板６１の下方に回動可能に軸支された巻き付けローラ７３に掛けられて固定されている。巻き付けローラ７３は、操作レバー７４により回動させることができ、巻き付けローラ７３を反時計回りに回動させることで、ワイヤ７２が巻き取られて支持体５がワイヤ７２により引き上げられるようになる。
【００３５】
操作レバー７４の回動範囲には３本のストッパピン７５ａ〜７５ｃが取付板６１に突設されている。そして、操作レバー７４は、手前側に回動可能となるように巻き付けローラ７３に一端が軸支されており、反時計回りに回動した場合にストッパピン７５ａ〜７５ｃの先端を越えて回動させることができる。巻き付けローラ７３には、ワイヤ７２を介して時計回りに回動させる力が作用しているため、操作レバー７４が所定の回動角度で保持されるように、いずれかのストッパピンに当接させて時計周りに回動しないようにする。
【００３６】
図８は、操作レバー７４を反時計回りに回動させてストッパピン７５ｂを越えた状態でストッパピン７５ｂに係止させた場合を示す正面図である。こうして操作レバー７４をストッパピン７５ｂに係止させておけば、支持体５を引き上げた状態に保持することができる。
【００３７】
図９は、光量調整体の動作に関する側面図であり、操作レバー７４をストッパピン７５ａに当接させて保持した状態（図９（ａ））、操作レバー７４をストッパピン７５ｂに当接させて保持した状態（図９（ｂ））及び操作レバー７４をストッパピン７５ｃに当接させて保持した状態（図９（ｃ））を示している。
【００３８】
図９（ａ）では、支持体５が支持体６に対して下方に移動した状態となり、遮光層４が支持体６から支持体５に向かって斜め下方に傾斜した状態に設定されている。遮光層４が傾斜した状態を正面から見ると、遮光層４が表出して入射する光が遮られるようになる。
【００３９】
図９（ｂ）では、図９（ａ）の状態よりも支持体５が上方に移動した状態となり、遮光層４が地組織に対してほぼ直交する方向に設定されている。このように遮光層４が支持体５及び６に対してほぼ直交する方向に設定されている状態を正面から見ると、入射する光は遮光層４に遮られることなく透過するようになる。
【００４０】
図９（ｃ）では、図９（ｂ）の状態よりも支持体５がさらに上方に移動した状態となり、遮光層４が支持体６から支持体５に向かって斜め上方に傾斜した状態に設定されている。このように遮光層４が傾斜した状態を正面から見ると、遮光層４が表出して入射する光が遮られるようになる。
【００４１】
操作レバー７４の回動角度をきめ細かく調整するためには、ストッパピンの数を増加させることが考えられるが、ストッパピン以外の方法を用いてもよい。例えば、巻き付けローラ７３の回転軸に係合歯車を固定して係合爪を取付板に回動可能に軸支しておき、巻き付けローラ７３の回動に合わせて係合爪を係合歯車に係止して所定の回転角度に保持することができる。
【００４２】
以上説明したように、操作レバー７４を回動させて支持体５を引き上げる移動量を調整することができる。そのため、支持体５の移動量を調整して遮光層４の傾斜角度を調整すれば、編地部分を透過する光量を調整することが可能となる。そして、支持体５の移動に合わせて遮光層４の傾斜角度を一斉に変化させることができ、編地部分全体で透過する光を均一に調整することが可能となる。
【００４３】
図１０及び１１は、上述した例とは別の移動手段を用いた別の変形例に関する斜視図及び正面図である。この例では、ウォームギヤを用いて支持体５を引き上げるようにしている。支持体５の上端部には、シート状の取付片５３及び５４の一端が固定されている。支持体６内表面には、上側縁及び左側縁に沿ってＬ字型の取付板６５が固定されている。取付板６５には、ウォームホイール８０を一端に固定した棒状の軸体８１を軸支する支持部６６が突設されている。軸体８１には、取付片５３及び５４の他端が固定されており、軸体８１を回動させることで取付片５３及び５４が巻き取られるようになっている。
【００４４】
取付板６５の左側縁には支持部６７が突設されており、上端部にウォーム８３を形成した軸体８２が支持部６７により回動可能に軸支されている。軸体８２の下端部には操作ツマミ部７６が形成されている。
【００４５】
ウォームギヤでは、ウォーム８３からウォームホイール８０に回動が伝達されるが、ウォームホイール８０からウォーム８３には回動が伝達できないため、ウォーム８３の回動を停止した状態のまま保持される。そのため、支持体５は引き上げられた状態のまま保持されるようになる。したがって、ウォーム８３の回動する角度を調整することで支持体５を引き上げる移動量を調整することができる。そのため、支持体５の移動量を調整して遮光層４の傾斜角度を調整すれば、編地部分を透過する光量を調整することが可能となる。支持体５を元の状態に戻す場合には、軸体８２を反対方向に回動させてウォームホイール８０を時計回りに回動させるようにすればよい。
【００４６】
図１２は、光量調整体の動作に関する側面図であり、ウォーム８３を回動させ支持体５を引き上げて遮光層４の傾斜角度を変化させている。
【００４７】
図１２（ａ）では、支持体５が支持体６に対して下方に移動した状態となり、遮光層４が支持体６から支持体５に向かって斜め下方に傾斜した状態に設定されている。遮光層４が傾斜した状態を正面から見ると、遮光層４が表出して入射する光が遮られるようになる。
【００４８】
図１２（ｂ）では、図１２（ａ）の状態よりも支持体５が上方に移動した状態となり、遮光層４が地組織に対してほぼ直交する方向に設定されている。このように遮光層４が支持体５及び６に対してほぼ直交する方向に設定されている状態を正面から見ると、入射する光は遮光層４に遮られることなく透過するようになる。
【００４９】
図１２（ｃ）では、図１２（ｂ）の状態よりも支持体５がさらに上方に移動した状態となり、遮光層４が支持体６から支持体５に向かって斜め上方に傾斜した状態に設定されている。このように遮光層４が傾斜した状態を正面から見ると、遮光層４が表出して入射する光が遮られるようになる。
【００５０】
この例では、操作ツマミ部７６により軸体８２を回動させて支持体５を上下動することで遮光層４の傾斜角度を任意の角度位置に設定することができ、きめ細かい光量調整を行うことができる。
【００５１】
図１３は、本実施形態に関する編組織図である。Ｌ１及びＬ２は表地２の挿入糸２１であり、Ｌ３は鎖編により編成される地組織２の編目列２０である。図示されるように、一対の挿入糸２１であるＬ１及びＬ２が隣接する編目列２０に所定長さずつ交互に編み込まれ、隣接する編目列２０の間で交差するように掛け渡される。Ｌ４は連結糸であり、編目列２０及び３０の編目に交互に編み込まれる。Ｌ５は鎖編により編成される地組織３の編目列３０であり、Ｌ６及びＬ７は地組織３の挿入糸３１である。地組織２と同様に一対の挿入糸３１であるＬ６及びＬ７は隣接する編目列３０に所定長さずつ交互に編み込まれ、隣接する編目列３０の間で交差するように掛け渡されている。
【００５２】
図１４は、編成するためのダブルラッシェル編機に関する概略構成図である。地組織２を編成するために、フロントニードル１００、トリックプレート１０１及びステッチコーム１０２が設けられており、地組織３を編成するために、バックニードル１１０、トリックプレート１１１及びステッチコーム１１２が設けられている。ガイドＬ１〜Ｌ７をスイングしながら、フロントニードル１００及びバックニードル１１０により地組織２及び３を編成し、連結糸を交互に両ニードルを掛けて編み込まれる。
【００５３】
地組織２及び３の編成糸としては、レーヨンに代表される再生繊維、綿に代表される天然繊維、アセテート等の半合成繊維、ポリエチレンテレフタレートに代表されるポリエステル系合成繊維、ナイロンに代表される脂肪族ポリアミド系合成繊維あるいはこれらの混合繊維を用いることができ、長繊維糸又は紡績糸のいずれであってもよく、特に限定されない。また、地組織の強度を高めるために編成糸に金属繊維を用いたり、混繊するようにしてもよい。
【００５４】
連結糸としては、レーヨンに代表される再生繊維、綿に代表される天然繊維、アセテート等の半合成繊維、ポリエチレンテレフタレートに代表されるポリエステル系合成繊維、ナイロンに代表される脂肪族ポリアミド系合成繊維あるいはこれらの混合繊維を用いることができ、長繊維糸又は紡績糸のいずれであってもよく、特に限定されない。遮光性を向上させるためには、ポリエチレンテレフタレートに代表されるポリエステル系合成繊維、ナイロンに代表される脂肪族ポリアミド系合成繊維等の合成繊維を用いた捲縮糸といった嵩高性の糸を用いるのが好ましい。
【００５５】
図１５は、図１３で示す編組織で編成された編地を形態安定加工（樹脂加工）して支持体を接着固定する工程に関する説明図である。編地Ｆは必要に応じて染色及び精錬しておく。そして、編地Ｆをローラにより搬送して、樹脂液を貯留する液槽２００内に搬入し編地Ｆに樹脂材料を含浸させる。含浸させる樹脂材料としては、アクリル系樹脂、ウレタン系樹脂、ポリエステル系樹脂、シリコン系樹脂、メラミン系樹脂等が好ましい。
【００５６】
含浸された編地を絞りローラ２０１により挟圧して余分な樹脂液を絞り取り、乾燥機２０２内に搬入する。乾燥機２０２では編地の両側端の耳部をピンに掛けて張設した状態で乾燥させる。乾燥工程では、１５０℃で２〜３分乾燥させるのがよい。編地の両側端を引っ張って張設した状態で乾燥させるので、隣接する編目列の間に交差するように掛け渡された挿入糸が緊張状態となって地組織の編目列が経方向に直線状に延び緯方向に挿入糸が直線状に延びて格子状に形成されるとともに地組織が所定間隔を空けて保持された状態で形態安定加工されるようになる。
【００５７】
なお、熱セット加工により地組織が同様の形態で安定した状態となる場合には、樹脂含浸を行うことなく編地の両側端の耳部をピンに掛けて張設した状態で熱セット加工するようにしてもよい。
【００５８】
形態安定加工された編地は、カッタ２０３により所定の長さに切断される。切断された編地Ｔは、ローラ塗布装置２０４に搬送されて下面全体の編目列に対して塗布ローラにより接着剤が塗布される。この場合、編目列は鎖編で形成されているため、挿入糸よりも外方に突出した状態となっており、塗布ローラ上に接触するように編地Ｔを経方向に搬送すれば、編目列の表面部分にだけ塗布ローラが接触して接着剤を塗布することができる。
【００５９】
接着剤としては、固化した状態で透明となる接着剤で、編地に滲み込みにくい高粘度のものがよい。例えば、乾燥タイプの合成接着剤が好ましく、酢酸ビニル樹脂系接着剤、ポリエステル系接着剤、変性オレフィン系接着剤が挙げられる。特に、湿気硬化型変性シリコン系接着剤が好ましく、アクリル変成シリコン樹脂がより好ましい。
【００６０】
編目列に接着剤を塗布した後、編地Ｔを接着面を下にして透明な樹脂製の板状体Ｓの上面に載置して接着固定する。板状体Ｓに接着固定した編地Ｔの残りの面に接着剤を塗布するために、再度ローラ塗布装置２０４に搬送し、残りの面全体の編目列に対して塗布ローラにより接着剤を編目列に塗布する。そして、もう一枚の板状体Ｓの上面に編地Ｔを載置して残りの面の編目列に板状体Ｓを接着固定する。こうして編地Ｔの両面に支持体となる板状体を接着固定することができる。
【００６１】
なお、地組織の編目列がわずかに湾曲して平面状でない場合には、塗布ローラにより接着剤を塗布する際に編地Ｔの両端部を引張りながら搬送することで編目列に均一に接着剤を塗布することができる。
【００６２】
図１６及び図１７は、本発明に係る別の実施形態に関する斜視図及び正面図である。また、図１８は、光量調整の動作に関する側面図である。
【００６３】
光量調整体１’は、一対の地組織２’及び３’の間に複数の遮光層４’からなる遮光部が設けられた編地部分と、地組織２’及び３’の外表面に接着固定された一対の光透過可能な支持体５’及び６’と、支持体５’を移動させる操作部材７’とを備えている。図１と同様に、編地部分の構成糸は、熱セット加工、樹脂加工等の形態安定加工により地組織２’及び３’の間が所定間隔空けて保持されるように加工されている。
【００６４】
この例では、図１８に示すように、遮光層４’は、地組織２’及び３’の編目列２０’及び３０’に１つおきに連結して形成されている。そのため、遮光層４’の間隔は図１の場合に比べて大きくなるが、遮光層４’がその分幅を拡げることができる。そのため、支持体５’を操作部材７’により図１と同様に移動させて光量調整を行うと、遮光層４’が遮蔽する場合と遮蔽しない場合のコントラストを大きくすることが可能となる。
【００６５】
図１８（ａ）では、操作部材７’が補強部材５０’に沿うように横向きに回動して支持体５が下方に移動した状態を示しており、遮光層４’が支持体６’から支持体５’に向かって斜め下方に傾斜した状態に設定されている。正面から見ると、幅の広い遮光層４’が表出し、図３に示す場合に比べて遮光効果を大きくすることができる。
【００６６】
図１８（ｂ）では、操作部材７’を反時計回りに所定角度回動して支持体５’が上方に移動した状態を示しており、遮光層４’が地組織に対してほぼ直交する方向に設定されている。正面から見ると、入射する光は遮光層４’に遮られることなく透過するようになる。また、図４に示す場合に比べて遮光層４’の密度が小さくなるため、透過する光量を大きくすることができる。
【００６７】
図１８（ｃ）では、操作部材７’が補強部材５０’に対してほぼ直交する状態に回動して支持体５’がさらに上方に移動した状態を示しており、遮光層４’が支持体６’から支持体５’に向かって斜め上方に傾斜した状態に設定されている。正面から見ると、幅の広い遮光層４’が表出し、図３に示す場合に比べて遮光効果を大きくすることができる。図１８（ａ）の遮光層４’の傾斜状態と比較すると、図１８（ａ）の状態では上方から入射する光が遮光層４’で反射されて正面に向かって照射されるため、図１８（ｃ）の状態の方が遮光効果を大きくなる。
【００６８】
以上説明したように、支持体５’の移動量を調整して遮光層４’の傾斜角度を調整すれば、編地部分を透過する光量を調整することが可能となる。そして、支持体５’の移動に合わせて遮光層４’の傾斜角度を一斉に変化させることができ、編地部分全体で透過する光を均一に調整することが可能となる。
【００６９】
図１６に示す編地を編成する場合には、図１３に示す編組織図においてＬ４の連結糸の間隔を長くすることで遮光層４’の幅を拡げることができる。
【産業上の利用可能性】
【００７０】
本発明に係る光量調整体は、簡単な構成で設置スペースが小さいので、室内や車内にスペースをあまりとらずに設置でき、光量調整が必要な様々な場所に使用可能である。また、遮光層により確実に視界を遮ることができることから、室内のパーティションとしても用いることができる。
【符号の説明】
【００７１】
１    光量調整体
２    地組織
20    編目列
21    挿入糸
３    地組織
30    編目列
31    挿入糸
４    遮光層
５    支持体
６    支持体
７    操作部材
８    窓ガラス板
９    窓枠
【図１】
2010168894.tif 000003
【図２】
2010168894.tif 000004
【図３】
2010168894.tif 000005
【図４】
2010168894.tif 000006
【図５】
2010168894.tif 000007
【図６】
2010168894.tif 000008
【図７】
2010168894.tif 000009
【図８】
2010168894.tif 000010
【図９】
2010168894.tif 000011
【図１０】
2010168894.tif 000012
【図１１】
2010168894.tif 000013
【図１２】
2010168894.tif 000014
【図１３】
2010168894.tif 000015
【図１４】
2010168894.tif 000016
【図１５】
2010168894.tif 000017
【図１６】
2010168894.tif 000018
【図１７】
2010168894.tif 000019
【図１８】
2010168894.tif 000020